(57)【特許請求の範囲】
【請求項１】
映像視聴端末を用いてユーザが映像を観視した際に体感する映像品質値を推定する映像品質評価装置であって、
第１映像視聴端末の映像品質値、第１映像視聴端末の端末パラメータ、第１映像視聴端末と端末パラメータが異なる第２映像視聴端末の映像品質値及び第２映像視聴端末の端末パラメータの関係を表したモデル式を記憶する記憶部と、
前記記憶部に記憶されたモデル式に基づいて、第１映像視聴端末の映像品質値、第１映像視聴端末の端末パラメータ及び第２映像視聴端末の端末パラメータから、第２映像視聴端末の映像品質値を算出する映像品質値推定部と、
を有し、
前記記憶部は、映像が停止したか否かによって異なるモデル式を記憶し、
前記映像品質値推定部は、映像が停止したか否かに基づいて、対応するモデル式を用いて前記第２映像視聴端末の映像品質値を推定する映像品質評価装置。
【請求項２】
前記モデル式は、第１映像視聴端末及び第２映像視聴端末の事前に得られた映像品質値から最適化された係数又は関数で表される、請求項１に記載の映像品質評価装置。
【請求項３】
前記端末パラメータは、画面サイズ、画面画素数、画面アスペクト比、最大同時発色数、画面コントラスト比、覗き見防止機能の有無、3D視聴機能の有無、画面サイズ毎に定義される平均視距離のうち少なくとも１つを含む、請求項１又は２に記載の映像品質評価装置。
【請求項４】
映像視聴端末を用いてユーザが映像を観視した際に体感する映像品質値を推定する映像品質評価装置における映像品質評価方法であって、
第１映像視聴端末の映像品質値、第１映像視聴端末の端末パラメータ、第１映像視聴端末と端末パラメータが異なる第２映像視聴端末の映像品質値及び第２映像視聴端末の端末パラメータの関係を表した、記憶部に記憶されたモデル式に基づいて、第１映像視聴端末の映像品質値、第１映像視聴端末の端末パラメータ及び第２映像視聴端末の端末パラメータから、第２映像視聴端末の映像品質値を算出するステップを有し、
前記モデル式は、映像が停止したか否かによって異なり、
前記第２映像視聴端末の映像品質値は、映像が停止したか否かに基づいて、対応するモデル式を用いて算出される映像品質評価方法。
【請求項５】
映像視聴端末を用いてユーザが映像を観視した際に体感する映像品質値を推定する映像品質評価装置として、コンピュータを機能させるためのプログラムであって、当該コンピュータを、
第１映像視聴端末の映像品質値、第１映像視聴端末の端末パラメータ、第１映像視聴端末と端末パラメータが異なる第２映像視聴端末の映像品質値及び第２映像視聴端末の端末パラメータの関係を表したモデル式を記憶する記憶手段、及び
前記記憶手段に記憶されたモデル式に基づいて、第１映像視聴端末の映像品質値、第１映像視聴端末の端末パラメータ及び第２映像視聴端末の端末パラメータから、第２映像視聴端末の映像品質値を算出する映像品質値推定手段、
として機能させ、
前記記憶手段は、映像が停止したか否かによって異なるモデル式を記憶し、
前記映像品質値推定手段は、映像が停止したか否かに基づいて、対応するモデル式を用いて前記第２映像視聴端末の映像品質値を推定するプログラム。
【発明の詳細な説明】
【技術分野】
【０００１】
本発明は、映像品質評価装置、映像品質評価方法及びプログラムに関する。特に、本発明は、テレビ受像機、コンピュータディスプレイ、タブレット、スマートフォンなどの映像視聴端末を用いてユーザが映像を観視した際に体感する映像の品質値（映像品質値）を推定する映像品質評価装置、映像品質評価方法及びプログラムに関する。
【背景技術】
【０００２】
従来、映像を視聴するための端末はテレビ受像機やコンピュータディスプレイなど据え置き型の端末が主流であったが、近年、スマートフォンやタブレットなど高機能かつ高性能なモバイル端末の普及により、モバイル端末を用いた映像視聴も一般的になった。それに伴い、映像配信サービスも、様々な視聴端末に対応している。
【０００３】
映像配信サービスにおいて、ユーザが映像に対して感じる品質（映像品質）は、映像フォーマット（映像サイズやフレームレートなど）や映像符号化パラメータ（符号化方式やビットレートなど）などの設計パラメータなどに影響を受ける他、視聴端末の違いにも大きく影響を受ける（非特許文献１）。例えば、映像品質に影響を与える視聴端末要因として画面サイズと画面画素数がある。画面サイズと画面画素数の定義は様々であるが、ここでは一例として視聴端末の画面の対角線の長さ（インチ）を画面サイズ、画面の総画素数を画面画素数とする。また、映像の総画素数は画面画素数と同一とし、映像はディスプレイ全体に表示される全画面表示とする。画面サイズが10インチ程度のFull-HD（画面画素数＝1920×1080＝2073600）のタブレットと画面サイズが5インチ程度の同じくFull-HDのスマートフォンで符号化劣化（例：ブロックノイズ）が発生していない映像を観視した場合、タブレットは、スマートフォンよりも大画面であるため、没入感や臨場感が増し、スマートフォンよりも映像品質が高くなる。一方、映像に符号化劣化が発生した場合、タブレットは、スマートフォンよりも大画面であり、符号化劣化も大きく表示されてしまうため、符号化劣化が知覚され易くなり、スマートフォンよりも映像品質が低くなる。さらに、画面サイズが5インチ程度のFull-HDのスマートフォンと同じく5インチ程度のQHD（Quarter  HD：Full-HDの4分の1の画面画素数）のスマートフォンで符号化劣化が発生していない映像を観視した場合、Full-HDのスマートフォンはQHDのスマートフォンよりも映像の精細感が高まり、QHDのスマートフォンよりも映像品質が高くなる。また、映像に符号化劣化が発生した場合には、Full-HDのスマートフォンはQHDのスマートフォンよりも符号化劣化が小さく表示されるため符号化劣化が知覚され難く、QHDのスマートフォンよりも映像品質が高くなる。このように視聴端末の端末パラメータ（画面サイズや画面画素数など）の違いより、主観品質評価特性が異なるため、映像配信サービスを適切な品質で提供するためには、端末パラメータの違いを考慮したサービス提供前の品質設計やサービス提供中の品質再設計・監視が重要になる。品質設計を実現するためには、設計パラメータと映像品質の関係解明が不可欠であり、映像品質を定量化する方法（主観品質評価法）が必要となる。また、品質監視を実現するためには、サービス提供中に得られる情報から映像品質を推定する技術（客観品質評価技術）が必要となる。
【０００４】
従来、非特許文献２や非特許文献３において、評価者が映像を観視し映像品質を採点する主観品質評価法が記載されている。
【０００５】
また、非特許文献４、非特許文献５や非特許文献６において、映像信号、映像符号化ビットストリーム、映像符号化ビットストリームを含んだパケット等の情報から映像品質を推定する客観品質評価技術が記載されている。
【先行技術文献】
【非特許文献】
【０００６】
【非特許文献１】A. Catellier, M. Pinson, W. Ingram, and A. Webster, "IMPACT OF MOBILE DEVICES AND USAGE LOCATION ON PERCEIVED MULTIMEDIA QUALITY," IEEE QoMEX 2012, pp 39-44, July 2012.
【非特許文献２】ITU-R Recommendation BT.500-12, "Methodology for the Subjective Assessment of the Quality of Television Pictures," Sept. 2009.
【非特許文献３】ITU-T Recommendation P.910, "Subjective Video Quality Assessment Methods for Multimedia Applications," Apr. 2008.
【非特許文献４】ITU-T Recommendation J.341, "Objective Perceptual Multimedia Video Quality Measurement of HDTV for Digital Cable Television in the Presence of a Full Reference," Jan. 2011.
【非特許文献５】ITU-T Recommendation P.1201, "Parametric non-intrusive assessment of audiovisual media streaming quality," Nov. 2012.
【非特許文献６】ITU-T Recommendation P.1202, "Parametric non-intrusive bitstream assessment of video media streaming quality," Nov. 2012.
【発明の概要】
【発明が解決しようとする課題】
【０００７】
しかしながら、非特許文献２、３に記載の技術は、主観品質評価に用いた視聴端末の映像品質のみしか取得できないため、未知の視聴端末の映像品質を得るためには、その都度、該当する視聴端末を用いて主観品質評価を行う必要がある。
【０００８】
非特許文献４、５、６に記載の技術は、映像信号、パケットのヘッダ、映像符号化ビットストリームなどの情報から映像品質を推定する技術であるが、視聴端末の違いが映像品質に与える影響は考慮されていないため、視聴端末ごとに客観評価技術を最適化する必要がある。客観評価技術を最適化するためには、視聴端末ごとの映像品質が必要となり、その都度、該当する視聴端末を用いて主観品質評価を行う必要がある。
【０００９】
本発明は、上記に鑑みてなされたもので、特定の視聴端末の映像品質から、異なる視聴端末の映像品質を推定する映像品質評価装置、映像品質評価方法及びプログラムを提供することを目的とする。
【課題を解決するための手段】
【００１０】
本発明の一形態に係る映像品質評価装置は、
映像視聴端末を用いてユーザが映像を観視した際に体感する映像品質値を推定する映像品質評価装置であって、
第１映像視聴端末の映像品質値、第１映像視聴端末の端末パラメータ、第１映像視聴端末と端末パラメータが異なる第２映像視聴端末の映像品質値及び第２映像視聴端末の端末パラメータの関係を表したモデル式を記憶する記憶部と、
前記記憶部に記憶されたモデル式に基づいて、第１映像視聴端末の映像品質値、第１映像視聴端末の端末パラメータ及び第２映像視聴端末の端末パラメータから、第２映像視聴端末の映像品質値を算出する映像品質値推定部と、
を有し、
前記モデル式は、映像が停止したか否かによって異なり、
前記第２映像視聴端末の映像品質値は、映像が停止したか否かに基づいて、対応するモデル式を用いて算出されることを特徴とする。
【００１１】
また、本発明の一形態に係る映像品質評価方法は、
映像視聴端末を用いてユーザが映像を観視した際に体感する映像品質値を推定する映像品質評価装置における映像品質評価方法であって、
第１映像視聴端末の映像品質値、第１映像視聴端末の端末パラメータ、第１映像視聴端末と端末パラメータが異なる第２映像視聴端末の映像品質値及び第２映像視聴端末の端末パラメータの関係を表した、記憶部に記憶されたモデル式に基づいて、第１映像視聴端末の映像品質値、第１映像視聴端末の端末パラメータ及び第２映像視聴端末の端末パラメータから、第２映像視聴端末の映像品質値を算出するステップを有し、
前記モデル式は、映像が停止したか否かによって異なり、
前記第２映像視聴端末の映像品質値は、映像が停止したか否かに基づいて、対応するモデル式を用いて算出されることを特徴とする。
【００１２】
また、本発明の一形態に係るプログラムは、
映像視聴端末を用いてユーザが映像を観視した際に体感する映像品質値を推定する映像品質評価装置として、コンピュータを機能させるためのプログラムであって、当該コンピュータを、
第１映像視聴端末の映像品質値、第１映像視聴端末の端末パラメータ、第１映像視聴端末と端末パラメータが異なる第２映像視聴端末の映像品質値及び第２映像視聴端末の端末パラメータの関係を表したモデル式を記憶する記憶手段、及び
前記記憶手段に記憶されたモデル式に基づいて、第１映像視聴端末の映像品質値、第１映像視聴端末の端末パラメータ及び第２映像視聴端末の端末パラメータから、第２映像視聴端末の映像品質値を算出する映像品質値推定手段、
として機能させ、
前記記憶手段は、映像が停止したか否かによって異なるモデル式を記憶し、
前記映像品質値推定手段は、映像が停止したか否かに基づいて、対応するモデル式を用いて前記第２映像視聴端末の映像品質値を推定することを特徴とする。
【発明の効果】
【００１３】
本発明によれば、特定の視聴端末の映像品質から、異なる視聴端末の映像品質を推定することが可能になる。
【図面の簡単な説明】
【００１４】
【図１】画面サイズの違いによる映像品質値への影響を示すグラフ
【図２】画面サイズ及び画面画素数の違いによる映像品質値への影響を示すグラフ
【図３】本発明の一実施形態における映像品質評価装置の構成図
【図４】本発明の一実施形態における映像品質評価方法のフローチャート
【発明を実施するための形態】
【００１５】
本発明の実施形態では、任意の端末の映像品質を推定することを目的に、端末Aの映像品質値VQA及び端末パラメータPA、端末Bの映像品質値VQB及び端末パラメータPBの主観品質評価特性を定式化したモデル式を基に、端末Aの映像品質値VQA及び端末パラメータPA、端末Bの端末パラメータPBを入力として、端末Bの映像品質値VQBを算出する映像品質評価装置について説明する。ここで、端末パラメータは、画面サイズ（画面の高さ、画面の幅、画面の対角線の長さ、もしくは、画面の面積）、視聴端末の画面画素数（横方向の画素数、縦方向の画素数、もしくは、総画素数）、画面アスペクト比（縦横比）、最大同時発色数、画面コントラスト比、覗き見防止機能の有無、3D視聴機能の有無、画面サイズ毎に定義される平均視距離のうち少なくとも１つを意味する。すなわち、端末パラメータは、上記の情報の全てでもよく、一部の情報でもよい。また、映像の総画素数は画面画素数と同一とし、映像はディスプレイ全体に表示される全画面表示とする。
【００１６】
まず、端末パラメータとして画面サイズを例に挙げて詳述する。図１を用いて画面サイズの異なる視聴端末間の映像品質値の関係について説明する。図中の横軸は端末Aの映像品質値VQA、縦軸は端末Bの映像品質値VQBを表している。端末A及びBが同じ視聴端末の場合、映像品質値は同一になるため、映像品質値の関係は図中の実線のように、「映像品質値VQA＝映像品質値VQB」となるが、異なる画面サイズの視聴端末間の映像品質値の関係は図中の破線のように「映像品質値VQA≠映像品質値VQB」となる。具体的には、符号化劣化（例：ブロックノイズ）が発生していない映像を観視する場合に、画面サイズが大きくなることで、視野角が広がり、同じ映像を観視しても没入感や臨場感が高くなり、映像品質が高くなる。また、画面サイズが大きくなることにより、同一の視角（ある二点から目までの二直線が作る角度）に対する画素数が減少するため、映像の解像度が十分でない場合、同じ映像を観視しても人間が映像に対して感じる精細さが低下し、映像品質が低くなる。一方、符号化劣化が発生している映像を観視する場合、画面サイズが小さくなることで、符号化劣化も画面サイズと共に縮小されるため、同じ映像を観視しても符号化劣化に対する知覚感度が低下し、映像品質が高くなる。このような画面サイズと映像品質の関係を考慮し実線と破線の差を端末Aの画面サイズ、端末Bの画面サイズで端末Aの映像品質値VQAを補正することにより、端末Bの映像品質値VQBを精度よく算出することが可能になる。
【００１７】
次に、端末パラメータとして画面サイズと画面画素数を例に挙げて詳述する。図２を用いて、画面サイズ及び画面画素数が異なる視聴端末間の関係について説明する。図中の横軸、縦軸、実線及び破線は図１と同様である。画面サイズに加えて、画面画素数においても視聴端末間で差がある場合は、図中の点線のように画面画素数の違いによる映像品質値の差が破線に加減される。具体的には、符号化劣化が発生していない映像（映像フォーマットの解像度は画面画素数と同一とする）を観視する場合に、画面画素数が多くなることで、同じ映像を観視しても映像の精細感が高くなり、映像品質が高くなる。また、符号化劣化が発生している映像を観視する場合、画面画素数が多くなることで、符号化劣化が小さく表示され、同じ映像を観視しても符号化劣化に対する知覚感度が低下し、映像品質が高くなる。このような画面サイズ及び画面画素数と映像品質の関係を考慮し実線と点線の差を端末Aの画面サイズ、端末Bの画面サイズ、端末Aの画面画素数、端末Bの画面画素数で端末Aの映像品質値VQAを補正することにより、端末Bの映像品質値VQBを精度よく算出することが可能になる。
【００１８】
端末パラメータが３つ以上の場合においても、端末パラメータの違いにより映像品質値に影響を与えるため、複数の端末パラメータを用いて映像品質値VQAを補正することにより、端末Bの映像品質値VQBを精度よく算出することが可能になる。
【００１９】
さらに、端末パラメータの違いが映像品質値に与える影響は、映像が停止したか否か（ネットワークの輻輳などにより、映像データを含んだパケットがユーザの視聴端末に届かず、該当パケットを受け取るまで映像の再生を止める場合など）にも影響を受ける。そのため、映像停止の有無に応じて、端末パラメータを用いた映像品質値VQAの補正の仕方を変えることにより、端末Bの映像品質値VQBを精度よく算出することが可能になる。
【００２０】
以下図面と共に、本発明の実施形態について更に詳細に説明する。
【００２１】
＜第１実施形態＞
図３は本発明の第１実施形態における映像品質評価装置１０の構成を示す。同図に示す映像品質評価装置１０は、記憶部１０１及び映像品質値推定部１０３から構成される。
【００２２】
記憶部１０１は、端末Aの映像品質値VQA及び端末パラメータPA、端末Bの映像品質値VQB及び端末パラメータPBの関係を表したモデル式を記憶する。ここで、端末Aと端末Bの端末パラメータは異なるものとする。具体的なモデル式は以下に詳細に説明する。
【００２３】
映像品質値推定部１０３は、端末Aの映像品質値VQA及び端末パラメータPA、端末Bの端末パラメータPBを入力とし、端末Bの映像品質値VQBを出力する。
【００２４】
ここで、映像品質値とは、主観品質評価法もしくは客観品質評価法により得られる映像品質値を示す。さらに、端末パラメータは、画面サイズ（画面の高さ、画面の幅、画面の対角線の長さ、もしくは、画面の面積）、視聴端末の画面画素数（横方向の画素数、縦方向の画素数、もしくは、総画素数）、画面アスペクト比（縦横比）、最大同時発色数、画面コントラスト比、覗き見防止機能の有無（ありを1、なしを0のように二値で表現）、3D視聴機能の有無（ありを1、なしを0のように二値で表現）、画面サイズ毎に定義される平均視距離のいずれかを意味する。また、映像の総画素数は画面画素数と同一とし、映像はディスプレイ全体に表示される全画面表示とすることとする。
【００２５】
本実施形態では、端末パラメータの例として画面サイズを用いて説明する。
【００２６】
記憶部１０１は、端末Aの映像品質値VQA及び画面サイズPA[0]、端末Bの映像品質値VQB及び画面サイズPB[0]の関係を表した以下のモデル式を記憶する。
【００２７】
【数１】
0005647321.tif 000002
【００２８】
【数２】
0005647321.tif 000003
【００２９】
【数３】
0005647321.tif 000004
ここで、VQBは端末Bの映像品質値、VQAは端末Aの映像品質値、PB[0]は端末Bの画面サイズ、PA[0]は端末Aの画面サイズ、a1及びa2は係数を意味する。αとβは中間パラメータであり、画面サイズの違いによる映像品質値の差（図１）を補正している。また、端末Aの画面サイズPA[0]と端末Bの画面サイズPB[0]が同一の場合、αは１、βは0になる。
【００３０】
映像品質値推定部１０３は、端末Aの映像品質値VQA及び画面サイズPA[0]、端末Bの画面サイズPB[0]から上記のモデル式を用いて、端末Bの映像品質値VQBを算出する。
【００３１】
なお、［数２］は以下のいずれかのモデル式で置き換えてもよい。
【００３２】
【数４】
0005647321.tif 000005
【００３３】
【数５】
0005647321.tif 000006
【００３４】
【数６】
0005647321.tif 000007
【００３５】
【数７】
0005647321.tif 000008
【００３６】
【数８】
0005647321.tif 000009
【００３７】
【数９】
0005647321.tif 000010
【００３８】
【数１０】
0005647321.tif 000011
ここでPB[0]は端末Bの画面サイズ、PA[0]は端末Aの画面サイズ、a1及びb1は係数、f1()及びf2()はシグモイド曲線、ゴンペルツ曲線、ロジスティック曲線等のある上限値及び下限値で収束するようなS字状の関数もしくは指数曲線等のある上限値で収束するような関数を示す。
【００３９】
また、［数３］は以下のいずれかのモデル式で置き換えてもよい。
【００４０】
【数１１】
0005647321.tif 000012
【００４１】
【数１２】
0005647321.tif 000013
【００４２】
【数１３】
0005647321.tif 000014
ここでPB[0]は端末Bの画面サイズ、PA[0]は端末Aの画面サイズ、a2及びb2は係数、f3()はシグモイド曲線、ゴンペルツ曲線、ロジスティック曲線等のある上限値及び下限値で収束するようなS字状の関数もしくは指数曲線等のある上限値で収束するような関数を示す。
【００４３】
a1、a2、b1、b2及びf1()、f2()、f3()は事前に主観品質評価実験等で得られる端末Aの画面サイズPA[0]及び映像品質値VQA、端末Bの画面サイズPB[0]及び映像品質値VQBから、最小二乗法などにより最適化する必要がある。また、α及びβを算出するためのモデル式を映像停止の有無毎に１種類ずつ用意してもよい。すなわち、αを算出するためのモデル式を［数２］、［数４］、［数５］、［数６］、［数７］、［数８］、［数９］、［数１０］の中から映像停止の有無毎に１種類ずつ、βを算出するためのモデル式を［数３］、［数１１］、［数１２］、［数１３］の中から映像停止の有無毎に１種類ずつ選択してもよい。例えばネットワークの輻輳などにより映像の再生が停止した場合、対応するモデル式（映像停止が有る場合のモデル式）が用いられる。この場合、モデル式毎に係数を最適化する必要がある。
【００４４】
また、本実施形態では、画面サイズを例に挙げて説明したが、他の端末パラメータを用いてもよい。
【００４５】
次に図４のフローチャートを用いて本実施形態の処理フローを説明する。
【００４６】
事前に主観品質評価実験等で得られる端末Aの画面サイズPA[0]及び映像品質値VQA、端末Bの画面サイズPB[0]及び映像品質値VQBから、端末Aの映像品質値VQA及び端末パラメータPA、端末Bの映像品質値VQB及び端末パラメータPBの関係を表したモデル式が記憶部１０１に記憶されているものとする。
【００４７】
視聴端末Aの映像品質値及び端末パラメータ（本実施形態では画面サイズ）と映像端末Bの端末パラメータを映像品質値推定部１０３に入力する（Ｓ１）。
【００４８】
次に、映像品質値推定部１０３は、入力された視聴端末Aの映像品質値及び端末パラメータと映像端末Bの端末パラメータからモデル式を用いて視聴端末Bの映像品質値を算出する（Ｓ２）。
【００４９】
最後に、映像品質値推定部１０３は、算出した視聴端末Bの映像品質値を出力する（Ｓ３）。
【００５０】
なお、図３に示す映像品質評価装置の構成要素の各動作をプログラムとして構築し、映像処理装置として利用されるコンピュータにインストールして実行させる、または、ネットワークを介して流通させることが可能である。
【００５１】
本発明は、上記の実施の形態に限定されることなく、特許請求の範囲内において、種々変更・応用が可能である。
【００５２】
＜第２実施形態＞
上記の第１実施形態では、端末パラメータが１つの場合について説明したが、第２実施形態では、端末パラメータが２つ以上の場合について説明する。
【００５３】
図３は本発明の第２実施形態における映像品質評価装置１０の構成を示す。同図に示す映像品質評価装置１０は、記憶部１０１及び映像品質値推定部１０３から構成される。
【００５４】
記憶部１０１は、端末Aの映像品質値VQA及び端末パラメータPA、端末Bの映像品質値VQB及び端末パラメータPBの関係を表したモデル式を記憶する。ここで、端末Aと端末Bの端末パラメータは異なるものとする。具体的なモデル式は以下に詳細に説明する。
【００５５】
映像品質値推定部１０３は、端末Aの映像品質値VQA及び端末パラメータPA、端末Bの端末パラメータPBを入力とし、端末Bの映像品質値VQBを出力する。
【００５６】
ここで、映像品質値とは、主観品質評価法もしくは客観品質評価法により得られる映像品質値を示す。さらに、端末パラメータは、画面サイズ（画面の高さ、画面の幅、画面の対角線の長さ、もしくは、画面の面積）、視聴端末の画面画素数（横方向の画素数、縦方向の画素数、もしくは、総画素数）、画面アスペクト比（縦横比）、最大同時発色数、画面コントラスト比、覗き見防止機能の有無（ありを1、なしを0のように二値で表現）、3D視聴機能の有無（ありを1、なしを0のように二値で表現）、画面サイズ毎に定義される平均視距離のいずれかを意味する。また、映像の総画素数は画面画素数と同一とし、映像はディスプレイ全体に表示される全画面表示とすることとする。
【００５７】
本実施形態では、端末パラメータの例として画面サイズ及び画面画素数を用い、端末パラメータが２つ以上の場合の処理を説明する。
【００５８】
記憶部１０１は、端末Aの映像品質値VQA、画面サイズPA[0]及び画面画素数PA[1]、端末Bの映像品質値VQB、画面サイズPB[0]及び画面画素数PB[1]の関係を表した以下のモデル式を記憶する。
【００５９】
【数１４】
0005647321.tif 000015
【００６０】
【数１５】
0005647321.tif 000016
【００６１】
【数１６】
0005647321.tif 000017
ここで、nは端末パラメータのインデックス番号（本実施形態では0は画面サイズ、1は画面画素数）、Nは端末パラメータの数（本実施形態ではN=2）、VQBは端末Bの映像品質値、VQAは端末Aの映像品質値、PB[n]は端末Bのインデックス番号nの端末パラメータ、PA[n]は端末Aのインデックス番号nの端末パラメータ、a1[n]及びa2[n]は係数を意味する。αとβは中間パラメータであり、端末パラメータ（本実施形態では画面サイズと画面画素数）の違いによる映像品質値の差（図２）を補正している。また、端末Aと端末B間の各端末パラメータが全て同一の場合（本実施形態では、端末Aと端末B間の画面サイズと画面画素数が同一の場合）、αは１、βは0になる。 
映像品質値推定部１０３は、端末Aの映像品質値VQA、画面サイズPA[0]及び画面画素数PA[1]、端末Bの画面サイズPB[0]及び画面画素数PB[1]から上記のモデル式を用いて、端末Bの映像品質値VQBを算出する。
【００６２】
なお、［数１５］は以下のいずれかのモデル式で置き換えてもよい。
【００６３】
【数１７】
0005647321.tif 000018
【００６４】
【数１８】
0005647321.tif 000019
【００６５】
【数１９】
0005647321.tif 000020
【００６６】
【数２０】
0005647321.tif 000021
【００６７】
【数２１】
0005647321.tif 000022
【００６８】
【数２２】
0005647321.tif 000023
【００６９】
【数２３】
0005647321.tif 000024
ここでnは端末パラメータのインデックス番号（本実施形態では0は画面サイズ、1は画面画素数）、Nは端末パラメータの数（本実施形態ではN=2）、VQBは端末Bの映像品質値、VQAは端末Aの映像品質値、PB[n]は端末Bのインデックス番号nの端末パラメータ、PA[n]は端末Aのインデックス番号nの端末パラメータ、a1[n]及びb1は係数、f1()及びf2()はシグモイド曲線、ゴンペルツ曲線、ロジスティック曲線等のある上限値及び下限値で収束するようなS字状の関数もしくは指数曲線等のある上限値で収束するような関数を示す。
【００７０】
また、［数１６］は以下のいずれかのモデル式で置き換えてもよい。
【００７１】
【数２４】
0005647321.tif 000025
【００７２】
【数２５】
0005647321.tif 000026
【００７３】
【数２６】
0005647321.tif 000027
ここでnは端末パラメータのインデックス番号（本実施形態では0は画面サイズ、1は画面画素数）、Nは端末パラメータの数（本実施形態ではN=2）、VQBは端末Bの映像品質値、VQAは端末Aの映像品質値、PB[n]は端末Bのインデックス番号nの端末パラメータ、PA[n]は端末Aのインデックス番号nの端末パラメータ、a2[n]及びb2は係数、f3()はシグモイド曲線、ゴンペルツ曲線、ロジスティック曲線等のある上限値及び下限値で収束するようなS字状の関数もしくは指数曲線等のある上限値で収束するような関数を示す。
【００７４】
a1[n]、a2[n]、b1、b2及びf1()、f2()、f3()は事前に主観品質評価実験等で得られる端末Aの端末パラメータPA[n]及び映像品質値VQA、端末Bの端末パラメータPB[n]及び映像品質値VQBから、最小二乗法などにより最適化する必要がある。また、α及びβを算出するためのモデル式を映像停止の有無毎に１種類ずつ用意してもよい。すなわち、αを算出するためのモデル式を［数１５］、［数１７］、［数１８］、［数１９］、［数２０］、［数２１］、［数２２］、［数２３］の中から映像停止の有無毎に１種類ずつ、βを算出するためのモデル式を［数１６］、［数２４］、［数２５］、［数２６］の中から映像停止の有無毎に１種類ずつ選択してもよい。例えばネットワークの輻輳などにより映像の再生が停止した場合、対応するモデル式（映像停止が有る場合のモデル式）が用いられる。この場合、モデル式毎に係数を最適化する必要がある。
【００７５】
また、本実施形態では、画面サイズと画面画素数を例に挙げて説明したが、他の端末パラメータを追加してもよい。その場合、追加した端末パラメータの数だけNをインクリメント（増加）させ、追加した端末パラメータと端末パラメータのインデックス番号nを対応付けさせる必要がある（例えば、n=3は最大同時発色数、n=4は画面コントラスト比など）。
【００７６】
次に図４のフローチャートを用いて本実施形態の処理フローを説明する。
【００７７】
事前に主観品質評価実験等で得られる端末Aの端末パラメータPA[n]（本実施形態では画面サイズと画面画素数）及び映像品質値VQA、端末Bの端末パラメータPB[n]及び映像品質値VQBから、端末Aの映像品質値VQA及び端末パラメータPA[n]、端末Bの映像品質値VQB及び端末パラメータPB[n]の関係を表したモデル式が記憶部１０１に記憶されているものとする。
【００７８】
視聴端末Aの映像品質値及び端末パラメータ（本実施形態では画面サイズと画面画素数）と映像端末Bの端末パラメータを映像品質値推定部１０３に入力する（Ｓ１）。
【００７９】
次に、映像品質値推定部１０３は、入力された視聴端末Aの映像品質値及び端末パラメータと映像端末Bの端末パラメータからモデル式を用いて視聴端末Bの映像品質値を算出する（Ｓ２）。
【００８０】
最後に、映像品質値推定部１０３は、算出した視聴端末Bの映像品質値を出力する（Ｓ３）。
【００８１】
なお、図３に示す映像品質評価装置の構成要素の各動作をプログラムとして構築し、映像処理装置として利用されるコンピュータにインストールして実行させる、または、ネットワークを介して流通させることが可能である。
【００８２】
本発明は、上記の実施の形態に限定されることなく、特許請求の範囲内において、種々変更・応用が可能である。
【００８３】
＜発明の実施形態の効果＞
本発明の実施形態によれば、特定の視聴端末の映像品質から、異なる視聴端末の映像品質を推定することが可能（例えば、5インチ程度のスマートフォンの映像品質値を取得可能な場合、10インチ程度のタブレット端末の映像品質値に変換することが可能）となり、複数の視聴端末の映像品質を取得する場合に、視聴端末毎に主観品質評価を行う必要がないため、複数の視聴端末を対象とした品質設計や品質監視の導入が容易になる。 
説明の便宜上、本発明の実施形態に係る映像品質評価装置は機能的なブロック図を用いて説明しているが、本発明の実施形態に係る映像符号化パラメータ算出装置は、ハードウェア、ソフトウェアまたはそれらの組み合わせで実現されてもよい。また、各機能部が必要に応じて組み合わせて使用されてもよい。また、本発明の実施形態に係る方法は処理の流れを示すフローチャートを用いて説明しているが、本発明の実施形態に係る方法は、実施形態に示す順序と異なる順序で実施されてもよい。
【００８４】
以上、特定の視聴端末の映像品質から、異なる視聴端末の映像品質を推定するための手法について説明したが、本発明は、上記の実施形態に限定されることなく、特許請求の範囲内において、種々の変更・応用が可能である。
【符号の説明】
【００８５】
１０    映像品質評価装置
１０１  記憶部
１０３  映像品質値推定部
【要約】
【課題】特定の視聴端末の映像品質から、異なる視聴端末の映像品質を推定することを目的とする。
【解決手段】映像視聴端末を用いてユーザが映像を観視した際に体感する映像品質値を推定する映像品質評価装置は、第１映像視聴端末の映像品質値、第１映像視聴端末の端末パラメータ、第１映像視聴端末と端末パラメータが異なる第２映像視聴端末の映像品質値及び第２映像視聴端末の端末パラメータの関係を表したモデル式を記憶する記憶部と、前記記憶部に記憶されたモデル式に基づいて、第１映像視聴端末の映像品質値、第１映像視聴端末の端末パラメータ及び第２映像視聴端末の端末パラメータから、第２映像視聴端末の映像品質値を算出する映像品質値推定部とを有する。
【選択図】図３【図１】
0005647321.tif 000028
【図２】
0005647321.tif 000029
【図３】
0005647321.tif 000030
【図４】
0005647321.tif 000031